(57)【要約】【課題】顧客や運営者が、物品の発注漏れ等を意識することなく物品の発注を行うことのできる技術を提供する。【解決手段】結婚式において発注が必要な物品の物品情報が物品情報記憶部に記憶され、上記結婚式ごとに、顧客によって選択された物品の物品情報と、当該物品情報ごとの発注期限と、発注フラグとがイベント情報記憶部に互いに関連付けて記憶されている。  顧客端末から物品の選択要求を受信すると、物品情報記憶部から抽出した物品情報を個別に選択可能な形態で返信する。顧客端末から、物品の選択情報を受信すると、これをイベント情報記憶部に記憶する。一方、イベント情報記憶部を参照し、発注期限が所定の期間内に至った未発注の物品情報を検知すると、物品情報と共に期限情報を運営者端末に送信する。また、発注が決定した物品情報を運営者端末から受信すると、業者端末に対して、当該物品の発注要求を送信する。【選択図】図２
2010191924.tif 000002
【特許請求の範囲】
【請求項１】
挙式予定者である顧客が利用する顧客端末と、
結婚式を運営する運営者が利用する運営者端末と、
結婚式に必要な物品を提供する業者が利用する業者端末と、ネットワークを介して通信可能に構成され、結婚式に必要な物品に関する情報の処理装置であって、
上記結婚式において発注が必要な物品を識別する物品識別情報を含む物品情報と、当該物品を提供する業者を識別する業者識別情報を含む業者情報とを関連付けて記憶する物品情報記憶手段と、
上記結婚式を個別に識別するイベント識別情報と、上記運営者を識別する運営者識別情報と、上記顧客によって選択された物品に係る物品情報と、当該選択された物品情報ごとに設定された発注期限と、上記物品情報ごとの発注の有無を示す発注フラグとを関連付けて記憶するイベント情報記憶手段と、
上記顧客端末から、上記結婚式に必要な物品の選択要求を受信する選択要求受信手段と、
上記物品情報記憶手段を参照して、物品情報を抽出する物品情報抽出手段と、
上記顧客端末に対して、上記抽出された物品情報を個別に選択可能な形態で送信する物品情報送信手段と、
上記顧客端末から、上記イベント識別情報と、上記物品情報送信手段により送信された物品情報に基づいて上記顧客が選択した物品の物品情報と共に、上記顧客が当該物品情報を選択した旨の通知を受信する選択情報受信手段と、
上記受信した物品情報を上記受信したイベント識別情報に関連付けて上記イベント情報記憶手段に記憶する選択情報受付手段と、
上記イベント情報記憶手段を参照して、上記発注期限が所定の期間内に至った物品情報の有無を検知する期限管理手段と、
上記検知された物品情報について、上記発注フラグが立てられていないときには、上記イベント情報記憶手段から当該物品情報を抽出する期限情報抽出手段と、
上記運営者端末に対して、上記抽出された物品情報と、当該物品情報と関連付けられたイベント識別情報と共に、発注期限が所定の期間内に迫った旨の期限情報を送信する期限情報送信手段と、
上記送信された期限情報に基づいて、発注が決定した物品の物品情報と、当該物品の発注を要求するイベントのイベント識別情報と、当該物品情報に係る物品の発注要求と共に上記運営者端末から受信する発注要求受信手段と、
上記イベント情報記憶手段において、上記受信したイベント識別情報に基づき、上記受信した物品情報について発注フラグを立てる発注要求受付手段と、
上記業者端末に対して、上記運営者端末から発注要求を受信した物品情報と共に、当該物品の発注要求を送信する発注要求送信手段と、を有する、
ことを特徴とするブライダル情報処理装置。
【請求項２】
上記結婚式の挙行日から、所定の日時前に至ったときに、上記選択要求受信手段に対して、上記顧客端末から新たに物品情報の選択要求を受け付けることを禁止させると共に、上記選択情報受付手段に対し、上記イベント情報記憶手段に新たな物品情報を記憶させることを禁止する選択制御手段、を有し、
上記イベント情報記憶手段は、上記結婚式の挙行日に係る情報を記憶し、
上記選択要求受信手段は、上記顧客端末から、上記イベント識別情報と、上記結婚式に必要な物品の選択要求を受信する、
請求項１記載のブライダル情報処理装置。
【請求項３】
上記選択情報受付手段により上記イベント情報記憶手段に記憶した物品情報について、上記物品情報記憶手段を参照し、当該物品情報に予め関連付けられた発注期限算出基準に基づいて発注期限を算出した上、当該発注期限を当該物品情報に関連付けて上記イベント情報記憶手段に記憶する発注期限設定手段、を有し、
上記物品情報記憶手段にはさらに、上記物品ごとに上記結婚式の挙行日に基づいて発注期限を算出するための発注期限算出基準が記憶されている、
請求項１又は２記載のブライダル情報処理装置。
【請求項４】
上記顧客端末から、上記物品情報送信手段により送信された物品情報に基づいて上記顧客が選択した物品情報と共に、当該物品情報に係る物品の見積要求を受信する見積要求受信手段と、
上記物品情報記憶手段を参照して、上記受信した物品情報ごとの価格情報を抽出した上、当該抽出した価格情報からなる見積情報を算出する見積算出手段と、
上記顧客端末に対して、上記見積りを算出した物品情報と共に、上記見積情報を送信する見積情報送信手段と、を有し、
上記物品情報記憶手段はさらに、上記物品情報ごとに、物品の価格を表す価格情報を関連付けて記憶し、
上記選択情報受信手段は、上記顧客端末から、上記イベント識別情報と、上記見積情報送信手段により送信された物品情報に基づいて上記顧客が選択した物品情報と共に、上記顧客が当該物品を選択した旨の通知を受信する、
請求項１乃至３いずれの項に記載のブライダル情報処理装置。
【請求項５】
上記顧客が選択する物品に関する情報の閲覧が認められた閲覧者が利用する閲覧者端末と、さらにネットワークを介して通信可能に構成され、
上記閲覧者端末から、上記イベント識別情報と共に、上記選択情報受付手段により上記顧客から選択を受け付けた物品情報の閲覧要求を受信する閲覧要求受信手段、を有し、
上記物品情報抽出手段は、上記イベント情報記憶手段を参照して、上記閲覧要求受信手段により受信したイベント識別情報と関連付けて記憶されている物品情報を抽出し、
上記物品情報送信手段は、上記閲覧者端末に対して、上記抽出された物品情報を送信する、
請求項１乃至４いずれかの項に記載のブライダル情報処理装置。
【請求項６】
上記見積要求受信手段は、上記閲覧者端末から、上記イベント識別情報と共に、当該顧客が選択している物品に基づく見積要求を受信し、
上記見積算出手段は、上記イベント情報記憶手段を参照して、上記受信したイベント識別情報と関連付けて記憶されている物品情報を特定すると共に、上記物品情報記憶手段を参照して、上記特定した物品情報ごとの価格情報を抽出した上、当該抽出した価格情報からなる見積情報を算出し、
上記見積情報送信手段は、上記閲覧者端末に対して、上記見積情報を送信する、
請求項５記載のブライダル情報処理装置。
【請求項７】
挙式予定者である顧客が利用する顧客端末と、
結婚式を運営する運営者が利用する運営者端末と、
結婚式に必要な物品を提供する業者が利用する業者端末と、ネットワークを介して通信可能に構成され、
上記結婚式において発注が必要な物品を識別する物品識別情報を含む物品情報と、当該物品を提供する業者を識別する業者識別情報を含む業者情報とを関連付けて記憶する物品情報記憶手段と、
上記結婚式を個別に識別するイベント識別情報と、上記運営者を識別する運営者識別情報と、上記顧客によって選択された物品に係る物品情報と、当該選択された物品情報ごとに設定された発注期限と、上記物品情報ごとの発注の有無を示す発注フラグとを関連付けて記憶するイベント情報記憶手段と、を有するコンピュータにより、結婚式に必要な物品に関する情報の処理を実行する方法であって、
上記顧客端末から、上記結婚式に必要な物品の選択要求を受信する処理と、
上記物品情報記憶手段を参照して、物品情報を抽出する処理と、
上記顧客端末に対して、上記抽出された物品情報を個別に選択可能な形態で送信する処理と、
上記顧客端末から、上記イベント識別情報と、上記送信された物品情報に基づいて上記顧客が選択した物品の物品情報と共に、上記顧客が当該物品情報を選択した旨の通知を受信する処理と、
上記受信した物品情報を上記受信したイベント識別情報に関連付けて上記イベント情報記憶手段に記憶する処理と、
上記イベント情報記憶手段を参照して、上記発注期限が所定の期間内に至った物品情報の有無を検知する処理と、
上記検知された物品情報について、上記発注フラグが立てられていないときには、上記イベント情報記憶手段から当該物品情報を抽出する処理と、
上記運営者端末に対して、上記抽出された物品情報と、当該物品情報と関連付けられたイベント識別情報と共に、発注期限が所定の期間内に迫った旨の期限情報を送信する処理と、
上記送信された期限情報に基づいて、発注が決定した物品の物品情報と、当該物品の発注を要求するイベントのイベント識別情報と、当該物品情報に係る物品の発注要求と共に上記運営者端末から受信する処理と、
上記イベント情報記憶手段において、上記受信したイベント識別情報に基づき、上記受信した物品情報について発注フラグを立てる処理と、
上記業者端末に対して、上記運営者端末から発注要求を受信した物品情報と共に、当該物品の発注要求を送信する処理と、を実行する、
ことを特徴とするブライダル情報処理方法。
【請求項８】
挙式予定者である顧客が利用する顧客端末と、
結婚式を運営する運営者が利用する運営者端末と、
結婚式に必要な物品を提供する業者が利用する業者端末と、ネットワークを介して通信可能に構成され、
上記結婚式において発注が必要な物品を識別する物品識別情報を含む物品情報と、当該物品を提供する業者を識別する業者識別情報を含む業者情報とを関連付けて記憶する物品情報記憶手段と、
上記結婚式を個別に識別するイベント識別情報と、上記運営者を識別する運営者識別情報と、上記顧客によって選択された物品に係る物品情報と、当該選択された物品情報ごとに設定された発注期限と、上記物品情報ごとの発注の有無を示す発注フラグとを関連付けて記憶するイベント情報記憶手段と、を有するコンピュータを、結婚式に必要な物品に関する情報の処理を実行するブライダル情報処理装置として機能させるためのコンピュータプログラムであって、
上記コンピュータに対して、
上記顧客端末から、上記結婚式に必要な物品の選択要求を受信する処理と、
上記物品情報記憶手段を参照して、物品情報を抽出する処理と、
上記顧客端末に対して、上記抽出された物品情報を個別に選択可能な形態で送信する処理と、
上記顧客端末から、上記イベント識別情報と、上記送信された物品情報に基づいて上記顧客が選択した物品の物品情報と共に、上記顧客が当該物品情報を選択した旨の通知を受信する処理と、
上記受信した物品情報を上記受信したイベント識別情報に関連付けて上記イベント情報記憶手段に記憶する処理と、
上記イベント情報記憶手段を参照して、上記発注期限が所定の期間内に至った物品情報の有無を検知する処理と、
上記検知された物品情報について、上記発注フラグが立てられていないときには、上記イベント情報記憶手段から当該物品情報を抽出する処理と、
上記運営者端末に対して、上記抽出された物品情報と、当該物品情報と関連付けられたイベント識別情報と共に、発注期限が所定の期間内に迫った旨の期限情報を送信する処理と、
上記送信された期限情報に基づいて、発注が決定した物品の物品情報と、当該物品の発注を要求するイベントのイベント識別情報と、当該物品情報に係る物品の発注要求と共に上記運営者端末から受信する処理と、
上記イベント情報記憶手段において、上記受信したイベント識別情報に基づき、上記受信した物品情報について発注フラグを立てる処理と、
上記業者端末に対して、上記運営者端末から発注要求を受信した物品情報と共に、当該物品の発注要求を送信する処理と、を実行させる、
コンピュータプログラム。
【発明の詳細な説明】
【技術分野】
【０００１】
本発明は、結婚式に必要な物品の発注を管理する技術に関する。
【背景技術】
【０００２】
近年、ビジネスのＩＴ化はブライダル産業にも波及しており、Ｗｅｂサイトによりブライダル情報が提供されているほか、ブライダルプランを詰めていくにあたり、挙式予定者と式場運営者とがネットワークを介して情報のやり取りを行ったりしている。
【０００３】
一方において結婚式は、個人にとっては通常高額な費用がかかり、また何度も行うものではないために挙式予定者には分からないことも多い等の理由により、挙式予定者と式場の担当者との打ち合わせが重要である。
【０００４】
そこで、このような結婚式の事情に鑑みて特許文献１では、式場及び関連商品の予約が可能なブライダル情報提供方法であって、式場および式場が提供可能な関連商品からなるブライダル情報をユーザが捜査する端末に送信するステップと、前記端末により選択された式場および式場が提供可能な関連商品に関する情報に基づいて、概算見積もりを計算するステップと、前記端末から仮予約を受け付けるステップと、前記仮予約の内容を前記式場に通知するステップと、前記仮予約の内容に応じて発注された前記関連商品を業者に発注するステップと、前記業者から前記式場に前記関連商品が納品されるステップと、前記式場に対して前記発注に基づく請求を行うステップと、前記式場が前記ユーザに対して請求を行うステップとを有するブライダル情報提供方法が提案されている。
【先行技術文献】
【特許文献】
【０００５】
【特許文献１】特開２００２−８３０７３号公報
【特許文献２】特開２００７−１７１２５号公報
【発明の概要】
【発明が解決しようとする課題】
【０００６】
特許文献１記載の技術によれば、ネットワークを介して式場及び関連商品の予約が可能であるが、結婚式に必要な物品は多岐にわたり、それぞれの発注期限や、式場担当者と挙式予定者の打ち合わせ時期も異なっている。そのため、単にユーザからの要求に応じて物品情報を提供したり、発注を受けるだけでは、発注漏れを起こしたり、発注期限に間に合わなかったりといった問題が起こり得る。
【０００７】
そこで本発明は、挙式予定者や式場の運営者が、結婚式に必要な物品について発注漏れや発注期限の徒過を特別意識することなく、物品の発注を行うことの出来る技術を提供することを目的とする。
【課題を解決するための手段】
【０００８】
上記目的を達成するため、本発明に係るブライダル情報処理装置は、挙式予定者である顧客が利用する顧客端末と、結婚式を運営する運営者が利用する運営者端末と、結婚式に必要な物品を提供する業者が利用する業者端末と、ネットワークを介して通信可能に構成され、結婚式に必要な物品に関する情報の処理装置であって、上記結婚式において発注が必要な物品を識別する物品識別情報を含む物品情報と、当該物品を提供する業者を識別する業者識別情報を含む業者情報とを関連付けて記憶する物品情報記憶手段と、上記結婚式を個別に識別するイベント識別情報と、上記運営者を識別する運営者識別情報と、上記顧客によって選択された物品に係る物品情報と、当該選択された物品情報ごとに設定された発注期限と、上記物品情報ごとの発注の有無を示す発注フラグとを関連付けて記憶するイベント情報記憶手段と、上記顧客端末から、上記結婚式に必要な物品の選択要求を受信する選択要求受信手段と、上記物品情報記憶手段を参照して、物品情報を抽出する物品情報抽出手段と、上記顧客端末に対して、上記抽出された物品情報を個別に選択可能な形態で送信する物品情報送信手段と、上記顧客端末から、上記イベント識別情報と、上記物品情報送信手段により送信された物品情報に基づいて上記顧客が選択した物品の物品情報と共に、上記顧客が当該物品情報を選択した旨の通知を受信する選択情報受信手段と、上記受信した物品情報を上記受信したイベント識別情報に関連付けて上記イベント情報記憶手段に記憶する選択情報受付手段と、上記イベント情報記憶手段を参照して、上記発注期限が所定の期間内に至った物品情報の有無を検知する期限管理手段と、上記検知された物品情報について、上記発注フラグが立てられていないときには、上記イベント情報記憶手段から当該物品情報を抽出する期限情報抽出手段と、上記運営者端末に対して、上記抽出された物品情報と、当該物品情報と関連付けられたイベント識別情報と共に、発注期限が所定の期間内に迫った旨の期限情報を送信する期限情報送信手段と、上記送信された期限情報に基づいて、発注が決定した物品の物品情報と、当該物品の発注を要求するイベントのイベント識別情報と、当該物品情報に係る物品の発注要求と共に上記運営者端末から受信する発注要求受信手段と、上記イベント情報記憶手段において、上記受信したイベント識別情報に基づき、上記受信した物品情報について発注フラグを立てる発注要求受付手段と、上記業者端末に対して、上記運営者端末から発注要求を受信した物品情報と共に、当該物品の発注要求を送信する発注要求送信手段と、を有することを特徴とする。
上記結婚式は、結婚式に付随するイベント、例えば、披露宴等も含まれる。
【０００９】
また、上記結婚式の挙行日から、所定の日時前に至ったときに、上記選択情報受信手段に対して、上記顧客端末から新たに物品情報の選択要求を受け付けることを禁止させると共に、上記選択情報受付手段に対し、上記イベント情報記憶手段に新たな物品情報を記憶させることを禁止する選択制御手段を有し、上記イベント情報記憶手段は、上記結婚式の挙行日に係る情報を記憶し、上記選択要求受信手段は、上記顧客端末から、上記イベント識別情報と、上記結婚式に必要な物品の選択要求を受信するものとしてもよい。
【００１０】
また、上記選択情報受付手段により上記イベント情報記憶手段に記憶した物品情報について、上記物品情報記憶手段を参照し、当該物品情報に予め関連付けられた発注期限算出基準に基づいて発注期限を算出した上、当該発注期限を当該物品情報に関連付けて上記イベント情報記憶手段に記憶する発注期限設定手段、を有し、上記物品情報記憶手段にはさらに、上記物品ごとに上記結婚式の挙行日に基づいて発注期限を算出するための発注期限算出基準が記憶されているものとしてもよい。
【００１１】
また、上記顧客端末から、上記物品情報送信手段により送信された物品情報に基づいて上記顧客が選択した物品情報と共に、当該物品情報に係る物品の見積要求を受信する見積要求受信手段と、上記物品情報記憶手段を参照して、上記受信した物品情報ごとの価格情報を抽出した上、当該抽出した価格情報からなる見積情報を算出する見積算出手段と、上記顧客端末に対して、上記見積りを算出した物品情報と共に、上記見積情報を送信する見積情報送信手段と、を有し、上記物品情報記憶手段はさらに、上記物品情報ごとに、物品の価格を表す価格情報を関連付けて記憶し、上記選択情報受信手段は、上記顧客端末から、上記イベント識別情報と、上記見積情報送信手段により送信された物品情報に基づいて上記顧客が選択した物品情報と共に、上記顧客が当該物品を選択した旨の通知を受信するものとしてもよい。
【００１２】
また、上記顧客が選択する物品に関する情報の閲覧が認められた閲覧者が利用する閲覧者端末と、さらにネットワークを介して通信可能に構成され、上記閲覧者端末から、上記イベント識別情報と共に、上記選択情報受付手段により上記顧客から選択を受け付けた物品情報の閲覧要求を受信する閲覧要求受信手段、を有し、上記物品情報抽出手段は、上記イベント情報記憶手段を参照して、上記閲覧要求受信手段により受信したイベント識別情報と関連付けて記憶されている物品情報を抽出し、上記物品情報送信手段は、上記閲覧者端末に対して、上記抽出された物品情報を送信するものとしてもよい。
【００１３】
また、上記見積要求受信手段は、上記閲覧者端末から、上記イベント識別情報と共に、当該顧客が選択している物品に基づく見積要求を受信し、上記見積算出手段は、上記イベント情報記憶手段を参照して、上記受信したイベント識別情報と関連付けて記憶されている物品情報を特定すると共に、上記物品情報記憶手段を参照して、上記特定した物品情報ごとの価格情報を抽出した上、当該抽出した価格情報からなる見積情報を算出し、上記見積情報送信手段は、上記閲覧者端末に対して、上記見積情報を送信するものとしてもよい。
【００１４】
また、本発明の別の観点に係るブライダル情報処理方法は、挙式予定者である顧客が利用する顧客端末と、結婚式を運営する運営者が利用する運営者端末と、結婚式に必要な物品を提供する業者が利用する業者端末と、ネットワークを介して通信可能に構成され、上記結婚式において発注が必要な物品を識別する物品識別情報を含む物品情報と、当該物品を提供する業者を識別する業者識別情報を含む業者情報とを関連付けて記憶する物品情報記憶手段と、上記結婚式を個別に識別するイベント識別情報と、上記運営者を識別する運営者識別情報と、上記顧客によって選択された物品に係る物品情報と、当該選択された物品情報ごとに設定された発注期限と、上記物品情報ごとの発注の有無を示す発注フラグとを関連付けて記憶するイベント情報記憶手段と、を有するコンピュータにより、結婚式に必要な物品に関する情報の処理を実行する方法であって、上記顧客端末から、上記結婚式に必要な物品の選択要求を受信する処理と、上記物品情報記憶手段を参照して物品情報を抽出する処理と、上記顧客端末に対して、上記抽出された物品情報を個別に選択可能な形態で送信する処理と、上記顧客端末から、上記イベント識別情報と、上記送信された物品情報に基づいて上記顧客が選択した物品の物品情報と共に、上記顧客が当該物品情報を選択した旨の通知を受信する処理と、上記受信した物品情報を上記受信したイベント識別情報に関連付けて上記イベント情報記憶手段に記憶する処理と、上記イベント情報記憶手段を参照して、上記発注期限が所定の期間内に至った物品情報の有無を検知する処理と、上記検知された物品情報について、上記発注フラグが立てられていないときには、上記イベント情報記憶手段から当該物品情報を抽出する処理と、上記運営者端末に対して、上記抽出された物品情報と、当該物品情報と関連付けられたイベント識別情報と共に、発注期限が所定の期間内に迫った旨の期限情報を送信する処理と、上記送信された期限情報に基づいて、発注が決定した物品の物品情報と、当該物品の発注を要求するイベントのイベント識別情報と、当該物品情報に係る物品の発注要求と共に上記運営者端末から受信する処理と、上記イベント情報記憶手段において、上記受信したイベント識別情報に基づき、上記受信した物品情報について発注フラグを立てる処理と、上記業者端末に対して、上記運営者端末から発注要求を受信した物品情報と共に、当該物品の発注要求を送信する処理と、を実行することを特徴とする。
【００１５】
また、本発明のさらに別の観点に係るコンピュータプログラムは、挙式予定者である顧客が利用する顧客端末と、結婚式を運営する運営者が利用する運営者端末と、結婚式に必要な物品を提供する業者が利用する業者端末と、ネットワークを介して通信可能に構成され、上記結婚式において発注が必要な物品を識別する物品識別情報を含む物品情報と、当該物品を提供する業者を識別する業者識別情報を含む業者情報とを関連付けて記憶する物品情報記憶手段と、上記結婚式を個別に識別するイベント識別情報と、上記運営者を識別する運営者識別情報と、上記顧客によって選択された物品に係る物品情報と、当該選択された物品情報ごとに設定された発注期限と、上記物品情報ごとの発注の有無を示す発注フラグとを関連付けて記憶するイベント情報記憶手段と、を有するコンピュータを、結婚式に必要な物品に関する情報の処理を実行するブライダル情報処理装置として機能させるためのコンピュータプログラムであって、上記コンピュータに対して、上記顧客端末から、上記結婚式に必要な物品の選択要求を受信する処理と、上記物品情報記憶手段を参照して、物品情報を抽出する処理と、上記顧客端末に対して、上記抽出された物品情報を個別に選択可能な形態で送信する処理と、上記顧客端末から、上記イベント識別情報と、上記送信された物品情報に基づいて上記顧客が選択した物品の物品情報と共に、上記顧客が当該物品情報を選択した旨の通知を受信する処理と、上記受信した物品情報を上記受信したイベント識別情報に関連付けて上記イベント情報記憶手段に記憶する処理と、上記イベント情報記憶手段を参照して、上記発注期限が所定の期間内に至った物品情報の有無を検知する処理と、上記検知された物品情報について、上記発注フラグが立てられていないときには、上記イベント情報記憶手段から当該物品情報を抽出する処理と、上記運営者端末に対して、上記抽出された物品情報と、当該物品情報と関連付けられたイベント識別情報と共に、発注期限が所定の期間内に迫った旨の期限情報を送信する処理と、上記送信された期限情報に基づいて、発注が決定した物品の物品情報と、当該物品の発注を要求するイベントのイベント識別情報と、当該物品情報に係る物品の発注要求と共に上記運営者端末から受信する処理と、上記イベント情報記憶手段において、上記受信したイベント識別情報に基づき、上記受信した物品情報について発注フラグを立てる処理と、上記業者端末に対して、上記運営者端末から発注要求を受信した物品情報と共に、当該物品の発注要求を送信する処理と、を実行させる。
【発明の効果】
【００１６】
本発明によれば、挙式予定者ないしは式場の運営者が、発注期限に応じた的確なタイミングで打ち合わせを行ったり、結婚式に必要な物品の発注を確実に行うことができる。
また、挙式予定者と式場の運営者とが、挙式予定者側の要望に沿ってスムーズな打ち合わせを行うことができる。
【図面の簡単な説明】
【００１７】
【図１】本発明の実施形態に係るブライダル情報処理装置を用いたブライダルプランニングシステムを示す概略図である。
【図２】本実施形態に係るブライダル情報処理装置が備える機能を示す機能ブロック図である。
【図３】本実施形態に係る顧客情報記憶部に記憶されるデータの一例を示す図である。
【図４】本実施形態に係る運営者情報記憶部に記憶されるデータの一例を示す図である。
【図５】本実施形態に係る業者情報記憶部に記憶されるデータの一例を示す図である。
【図６】本実施形態に係る物品情報記憶部に記憶されるデータの一例を示す図である。
【図７】本実施形態に係るイベント情報記憶部に記憶されるデータの一例を示す図である。
【図８】本実施形態に係る発注情報記憶部に記憶されるデータの一例を示す図である。
【図９】本実施形態に係るブライダル情報処理装置において、顧客端末から物品情報の選択要求を受け付ける処理の流れを示す処理フロー図である。
【図１０】本実施形態における顧客端末上において、顧客が物品情報を選択する際に展開される画面の一例である。
【図１１】本実施形態における顧客端末上において、顧客が物品情報を選択する際に展開される画面の一例である。
【図１２】本実施形態に係るブライダル情報処理装置において、顧客端末からの見積要求に対する処理の流れを示す処理フロー図である。
【図１３】本実施形態における顧客端末上において、顧客が見積情報を閲覧する際に展開される画面の一例である。
【図１４】本実施形態に係るブライダル処理装置において、運営者端末に対して発注期限を通知する処理の流れを示す処理フロー図である。
【図１５】本実施形態における運営者端末上において、運営者が期限情報を閲覧する際に展開される画面の一例である。
【図１６】本実施形態に係るブライダル処理装置において、所定の日時に至ったときに物品の選択要求の受付を禁止するように制御する処理の流れを示す処理フロー図である。
【図１７】本実施形態に係るブライダル処理装置において、運営者から発注要求を受け付け、さらに業者に対して発注を要求するまでの処理の流れを示す処理フロー図である。
【図１８】本発明の第二の実施形態に係るブライダル処理装置が備えるが機能を示す機能ブロック図である。
【図１９】本実施形態に係る物品情報記憶部に記憶されるデータの一例を示す図である。
【図２０】本実施形態に係るブライダル情報処理装置において、発注期限を設定する処理の流れを示す処理フロー図である。
【図２１】本発明の第三の実施形態に係るブライダル処理装置が備えるが機能を示す機能ブロック図である。
【図２２】本実施形態に係るブライダル処理装置において、閲覧者から閲覧要求を受け付け、物品情報を閲覧させるまでの処理の流れを示す処理フロー図である。
【図２３】本実施形態における閲覧者端末上において、閲覧者が物品情報を閲覧する際に展開される画面の一例である。
【図２４】本実施形態に係るブライダル情報処理装置において、閲覧者から見積情報の閲覧要求を受け付け、見積情報を閲覧させるまでの処理の流れを示す処理フロー図である。
【図２５】本実施形態における閲覧者端末上において、閲覧者が見積情報を閲覧する際に展開される画面の一例である。
【発明を実施するための形態】
【実施例１】
【００１８】
以下、本発明の実施形態に係るブライダル情報処理装置について、図を参照して説明する。
図１は、本実施形態に係るブライダル情報処理装置１を用いたブライダル情報処理システムの概略を示した図である。
図１に示されるように、本実施形態に係るブライダル情報処理装置１は、挙式予定者である顧客が利用する顧客端末３と、結婚式の会場となる式場の運営者が利用する運営者端末４、結婚式に必要な物品の発注に応じて当該物品を提供する業者が利用する業者端末５とがインターネット等のネットワークを介して通信可能に構成されている。
なお、上記の通り本発明は結婚式に付随する情報を処理するものであるが、本実施形態にいう結婚式には披露宴等も含まれ、以下においてはこれらを区別することなく「イベント」という。
【００１９】
このブライダル情報処理システムの概略は、顧客が顧客端末３から、イベントに必要な物品情報を選択すると（Ｓ１）と、ブライダル情報処理装置１が当該選択に係る物品情報を登録する。
また、顧客端末３からの見積要求に応じて（Ｓ２）、選択されている物品に基づく見積りが提示される（Ｓ３）。
【００２０】
一方において、物品情報には夫々発注期限が設定されており、当該設定期限が迫ると、運営者端末４に対して発注期限情報が通知される（Ｓ４）。運営者端末４により発注期限情報を確認した運営者は、物品の発注を要求する（Ｓ５）。
物品の発注要求を運営者端末４から受信したブライダル情報処理装置１は、当該要求に係る物品の発注を業者端末５に送信する（Ｓ６）
また、ブライダル情報処理装置１から送信された発注を受け付けた業者は、発注確認をブライダル情報処理装置１に対して送信する（Ｓ７）。これに応じて、ブライダル情報処理装置１は、当該受注確認を運営者端末５に送信する（Ｓ８）。ここで、発注確認とは、業者が、ブライダル情報処理装置１を介して式場運営者から発注及び発注内容を受け付けたことを確認するものである。
以上の処理により、イベントに必要な物品の発注処理が完了する。
【００２１】
以下、本実施形態に係るブライダル情報処理装置１が備える機能について詳細に説明する。
図２は、本実施形態に係るブライダル情報処理装置１、顧客端末３、運営者端末４、及び業者端末５が備える機能を示した機能ブロック図である。
【００２２】
ブライダル情報処理装置１は、顧客端末３、運営者端末４、及び業者端末５と、結婚式の準備に必要な情報を送受ないし処理するコンピュータである。このブライダル情報処理装置１は、CPU（Central Processing Unit）、CPUが実行するコンピュータプログラム、コンピュータプログラムや所定のデータを記憶するRAM（Random Access Memory）及びハードディスクドライブなどの外部記憶装置により、顧客情報記憶部１１、運営者情報記憶部１２、業者情報記憶部１３、物品情報記憶部１４、イベント情報記憶部１５、発注情報記憶部１６、物品情報抽出部１７、選択情報受付部１８、選択要求制御部１９、期限管理部２０、期限情報抽出部２１、発注要求受付部２２、見積算出部２３、通信処理部２４から構成される。
【００２３】
顧客情報記憶部１１は、結婚式（イベント）の挙式予定者である顧客に関する顧客情報を記憶された記憶部である。
この顧客情報記憶部１１には、例えば、図３に示されるように、顧客を識別するための顧客名、住所、連絡先、顧客が申し込んだイベントを識別するためのイベントＩＤ等が記憶されている。
【００２４】
運営者情報記憶部１２は、結婚式の式場を運営する運営者に関する運営者情報が記憶された記憶部である。
この運営者情報記憶部１２には、例えば、図４に示されるように、運営者を識別するための運営者ID、運営者名、住所、連絡先等が記憶されている。
なお、本実施形態において、運営者には、式場を運営する者、ないしはイベントを担当する担当者なども含まれる。
【００２５】
業者情報記憶部１３は、イベントに必要な物品を提供する業者に関する業者情報が記憶された記憶部である。
この業者情報記憶部１３には、例えば、図５に示されるように、業者を識別するための業者ID、業者名、住所、連絡先等が記憶されている。
なお、業者は、運営者がその役割を担ってもよい。
【００２６】
物品情報記憶部１４は、イベントで発注され得る物品に関する情報が記憶された記憶部である。
この物品情報記憶部１４には、例えば、図６に示されるように、物品の属性に応じた分類を示す種別情報、当該種別情報に従って分類された物品に関する物品情報、当該物品ごとに設定された価格情報、当該物品を提供する業者の業者IDが相互に関連付けて記憶されている。
【００２７】
種別情報は、例えば、装花、衣裳等、物品の属性を大別する情報であり、その種別を識別するための種別ＩＤと、その内容を示す物品種別とを含んでいる。
【００２８】
物品情報は、イベントで発注され得る物品であって、メイン装花、ケーキ装花、白無垢など、より具体的な物品の情報である。
この物品情報は、各物品を識別するための物品ＩＤと、その内容を示す物品とを含んでいる。
【００２９】
なお、各物品には、当該物品を提供する業者の業者ＩＤが関連付けて記憶されているが、運営者が当該業者の役割を担う場合には、業者ＩＤの代わりに運営者ＩＤを関連付けて記憶するものとしてもよい。
【００３０】
イベント情報記憶部１５は、各イベントにユニークな情報を記憶することができる記憶部である。
このイベント情報記憶部１５には、例えば、図７に示されるように、各イベントを識別するためのイベントＩＤ、イベントの実施日、イベントを顧客のために取り計らう運営者の運営者ＩＤ、イベントごとに必要な物品の種別情報、物品の選択に関する状態を示す選択ステータス、選択された物品の発注に関する状態を示す発注ステータスからなるイベント情報を記憶することができる。
【００３１】
イベント情報記憶部１５に記憶される種別情報は、顧客によって選択された物品の種別であり、物品情報記憶部１４に記憶された種別情報に対応するものである。
また、この種別情報は、予め顧客が決めたイベントプラン等に基づき、イベントを実行するのに必要となる物品ごとに、予め設定されていてもよい。例えば、あるイベントプランにおいて引出物を決定する必要がある場合には、運営者からの要求に従い、当該種別情報として引出物が設定されるが、別のイベントプランが設定されたイベントにおいて、引出物を決定する必要がない場合には、当該種別情報として引出物は設定されない。
なお、この種別情報には、種別ＩＤと物品種別が含まれている。
【００３２】
選択ステータスは、どのような物品がいくつ選択されたか否かを示す情報である。この選択ステータスには、顧客が選択した物品の物品ＩＤ、物品、数量が含まれており、いずれも顧客から受け付けた情報を反映して記憶される。
【００３３】
発注ステータスは、各物品ごとに、当該物品の発注状況を示す情報である。
この発注ステータスには、各物品ごとの発注期限、業者に対して発注されたか否かを示す発注有無、発注された場合に当該発注を識別するための発注ＩＤ、業者端末５から発注確認があったか否かを示す確認有無が含まれる。
本実施形態においては、発注期限は、運営者から期限日に係る情報を受け付けて個別に設定される。
また、発注有無は、初期状態では「無」の状態になっており、運営者端末４から発注要求を受け付けたときに、「有」となるようにフラグが立てられる。
また、発注ＩＤは、運営者端末４から発注要求を受信したときに発注要求受付部２２によって発行される。
また、確認有無は、初期状態では「無」の状態になっており、ブライダル情報処理装置１から業者端末５に対して送信された発注要求に対して、業者端末５から、当該発注を受け付けた旨を示す発注確認を受信したときに「有」となるようにフラグが立てられる。
【００３４】
発注情報記憶部１６は、物品の発注に関する情報を記憶することができる記憶部である。
この発注情報記憶部１６には、例えば図８に示すように、発注を識別するための発注ＩＤ、発注を要求した運営者の運営者ＩＤ、発注が要求された物品の物品ＩＤ、発注量を示す数量、発注額、発注を要求した業者の業者ＩＤを記憶することができる。
【００３５】
物品情報抽出部１７は、顧客端末３からの物品の選択要求に応じて、選択可能な物品情報を抽出する処理を実行する。
この物品情報抽出部１７は、顧客端末３から、物品の選択要求を受け付けると、物品情報記憶部１４を参照して、物品情報を抽出する。
当該抽出された物品情報は、物品情報ごとに選択可能な形態で顧客端末３に送信される。即ち、これにより、顧客は、所望の物品を選択することが出来る。
【００３６】
選択情報受付部１８は、顧客による物品の選択に関する情報を受け付ける処理を実行する。
この選択情報受付部１８は、顧客端末３からイベントＩＤ、顧客によって選択された物品に係る情報からなる選択情報を受け付けたときに、イベント情報記憶部１５を参照し、当該イベントＩＤに係るイベント情報中、上記受け付けた顧客の選択に係る物品の物品情報を相互に関連付けて記憶する。
なお、選択情報には、選択に係る物品の数量も含まれ、当該数量に係る情報も併せて記憶される。
【００３７】
選択要求制御部１９は、イベントの実施日から所定の日時前に至ったときに、顧客端末３からの物品の選択要求の受け付けを禁止する処理を実行する。
この選択要求制御部１９は、例えば、「実施日の７日前」といったような日時情報を予め所定のテーブル上にもっており、現在の日時と、イベント情報記憶部１５に記憶された実施日とに基づき、現在日時が実施日の７日前に至ったか否かを判別する。その上で、現在日時が実施日の７日前に至ったと判別したときには、通信処理部２４に対し、顧客端末３から送信された物品の選択要求にエラーメッセージを返させる等して、選択要求の受付を禁止する。
なお、この際、選択要求受付部１８に対して、新たな選択に係る物品の登録を禁止させるようにしてもよい。
【００３８】
期限管理部２０は、イベント情報記憶部１５を参照して、未発注の物品情報であって、発注期限が所定の期間内に至った物品情報の有無を検知する。
所定の期間は、一週間や１０日など、予め設定して記憶しておく。そして、現在日時、当該設定期間、発注期限に基づき、現在日時が発注期限から所定の日時に至ったかどうかを常時ないしは所定のタイミングで判別する。
これにより、発注期限からの所定の期間内に迫った物品情報が検知される。
【００３９】
期限情報抽出部２１は、期限管理部２０によって検知された物品情報について、発注フラグが立てられているか否かを判別し、発注フラグが立てられていないときには、当該物品情報をイベント情報記憶部１５から抽出した上、通信処理部２４をして、当該抽出した物品情報と、当該物品情報が関連付けられたイベント情報と共に、発注期限が所定の期間内に迫った旨の期限情報を運営者端末４に送信させる。
【００４０】
発注要求受付部２２は、運営者端末４から、イベントＩＤ、及び物品情報を含む発注要求を受信したときに、イベント情報記憶部１５を参照し、イベントＩＤに基づき、当該発注を要求された物品情報と関連付けられた発注フラグのフラグを立てる。この際、イベント情報記憶部１５に受信した物品情報に対応する物品情報が記憶されていない場合には、当該物品情報が選択されたものとして、当該物品情報を、当該イベントＩＤに関連付けて記憶するようにしてもよい。
【００４１】
また、発注要求受付部２２はこれと同時に、発注要求に係る物品情報に基づき、物品情報記憶部１４、及び業者情報記憶部１３を参照して、当該物品を提供する業者情報を抽出した上、通信処理部２４をして、当該業者情報に係る業者の業者端末５に対して当該発注要求に係る物品の発注要求を送信させる。
【００４２】
また、発注要求受付部２２は、通信処理部２４をして、運営者端末４から発注要求を受信した際、当該発注要求に対して発注ＩＤを発行した上、イベント情報記憶部１５において、発注要求がなされた物品情報に発注ＩＤを関連付けて記憶する。また、発注ＩＤと共に、発注を要求した運営者の運営者ＩＤ、発注に係る物品の物品ＩＤ、発注する物品の数量、発注要求を送信する業者の業者ＩＤを相互に関連付けて発注情報記憶部１６に記憶する。
また、発注要求受付部２２は、業者端末５から、発注ＩＤと共に発注確認を受信すると、イベント情報記憶部１５を参照して、当該発注ＩＤと関連付けられている確認有無について「有」となるようにフラグを立てる。
【００４３】
見積算出部２３は、顧客端末３から、顧客が選択した物品に基づく見積要求に応じて見積を算出し、これを顧客に提示する処理を実行する。
この見積算出部２３は、顧客端末３から、顧客の選択に係る物品の物品情報と共に見積要求を受信すると、物品情報記憶部１４を参照して、当該受信した物品情報ごとに関連付けられた価格情報を抽出する。そして、当該抽出した価格情報である物品の価格を合算し、見積額を算出する。
そして、見積算出部２３は、通信処理部２４をして、顧客端末３に対して、見積りを算出した物品情報と見積額とを含む見積情報を送信させる。
【００４４】
通信処理部２４は、顧客端末３、運営者端末４、及び業者端末５と、インターネット等の通信回線を介し、所定のプロトコルに従ってデータの送受信処理を実行する処理部であって、Ｗｅｂブラウザ等により実現される。
この通信処理部２４は、顧客端末３との間で、顧客の選択に係る物品情報を受信したり、見積情報を送信したりする。また、運営者端末４との間で、発注要求を受信したり、発注確認を送信したりする。また、業者端末５との間で、発注確認を受信したり、発注要求を送信したりする。
【００４５】
顧客端末３は、いわゆるパーソナルコンピュータ、携帯電話機、PDA（Personal Digital Assistance）等により構成され、入出力処理部３１、通信処理部３２の各機能ブロックを備える。
【００４６】
入出力処理部３１は、キーボードやタッチパネル、ディスプレイ等により構成され、顧客からのデータの入力を受け付けたり、当該受け付けたデータやネットワークを介してブライダル情報処理装置１から受信したデータ等を出力する処理を実行する。
【００４７】
通信処理部３２は、少なくともブライダル情報処理装置１とインターネット等の通信回線を介し、所定の通信回線を介し、所定のプロトコルに従ってデータの送受信処理を実行する処理部であって、Webブラウザ等により実行される。
この通信処理部３２は、例えば、ブライダル情報処理装置１に対して、物品の選択要求や、選択に係る物品の見積要求を送信したり、ブライダル情報処理装置１から見積情報を受信したりする。
【００４８】
運営者端末４は、いわゆるパーソナルコンピュータ、携帯電話機、PDA等により構成され、入出力処理部４１、通信処理部４２の各機能ブロックを備える。
【００４９】
入出力処理部４１は、キーボードやタッチパネル、ディスプレイ等により構成され、運営者からのデータの入力を受け付けたり、当該受け付けたデータやネットワークを介してブライダル情報処理装置１から受信したデータ等を出力する処理を実行する。
【００５０】
通信処理部４２は、少なくともブライダル情報処理装置１とインターネット等の通信回線を介し、所定の通信回線を介し、所定のプロトコルに従ってデータの送受信処理を実行する処理部であって、Webブラウザ等により実行される。
この通信処理部４２は、例えば、ブライダル情報処理装置１に対して、物品の発注要求を送信したり、ブライダル情報処理装置１から発注期限情報を受信したりする。
【００５１】
業者端末５は、いわゆるパーソナルコンピュータ、携帯電話機、PDA等により構成され、入出力処理部５１、通信処理部５２の各機能ブロックを備える。
【００５２】
入出力処理部５１は、キーボードやタッチパネル、ディスプレイ等により構成され、ネットワークを介してブライダル情報処理装置１から受信したデータ等を出力する処理を実行する。
【００５３】
通信処理部５２は、少なくともブライダル情報処理装置１とインターネット等の通信回線を介し、所定の通信回線を介し、所定のプロトコルに従ってデータの送受信処理を実行する処理部であって、Webブラウザ等により実行される。
この通信処理部４２は、例えば、ブライダル情報処理装置１から、物品の発注要求を受信したりする。
【００５４】
次に、本実施形態に係るブライダル情報処理装置１による処理の流れを、図を参照して説明する。
図９は、顧客端末３から物品の選択要求を受け付けてから、当該受け付けた物品情報をイベント情報記憶部１５に登録するまでの処理の流れを示している。
まず、顧客が顧客端末３により、所定のＷｅｂサイト等からブライダル情報処理装置１にアクセスし、イベントＩＤと共に、物品選択要求を送信すると、ブライダル情報処理装置１は、通信処理部２４により、当該イベントIDと共に物品の選択要求を受信する（Ｓ１０１）。
【００５５】
この際、顧客端末３から送信されたイベントＩＤに係るイベント情報が、物品の選択要求を受付可能か否かが判断される（Ｓ１０２）。即ち、選択要求制御部１９による制御に従って、物品の選択要求が受付不可となっている場合には、顧客端末３に対して、物品の選択を受け付けることができない旨のエラーメッセージを返信して処理を終了する（Ｓ１０３）。
なお、この選択要求制御部１９による処理については後に詳述する。  
【００５６】
一方、物品の選択が受付可能である場合には、物品情報抽出部１７により、物品情報記憶部１４から物品情報を抽出する（Ｓ１０４）。
【００５７】
抽出された物品情報は、当該物品情報が分類される種別情報ごとに選択可能な形態で顧客端末３に送信される（Ｓ１０５）。
なお、この際、イベント情報記憶部１５において、既に選択されている選択物品情報がある場合には、当該選択物品情報を併せて送信し、既に当該選択物品情報が選択されている旨を示すと共に、変更を受付可能に構成してもよい。
【００５８】
ここで、顧客端末３に送信される物品情報の選択画面の一例を図１０に示す。
図１０に示されるように、物品選択画面には、物品の属する種別情報が表示され、さらに種別情報ごとに「選択編集」ボタンが設けられており、当該「選択編集」ボタンを押下することで、当該種別情報に属する物品情報を個別に選択することが出来るようになっている。
また、物品情報が選択されると、選択された物品、及びその数量が表示されるようになっている。
【００５９】
物品選択画面において、「選択編集」ボタンを押下した際に展開される画面の一例を図１１に示す。この画面は例えばポップアップウィンドウ等により表示され、押下の対象となった種別情報ごとに選択可能な物品情報を、数量を指定して選択することができるようになっている。図１１に示される画面は、図１０における画面において、「装花」に設定された「選択編集」ボタンを押下した場合の画面であり、「メイン装花」に分類される物品である「メイン装花Ａ」、「メイン装花Ｂ」、「メイン装花Ｃ」、「メイン装花Ｄ」が選択可能に表示されている。
なお、各種別情報において、物品情報を選択させる処理は、以上のような形態に限らず、種別情報ごとに一覧表示した物品情報をチェックボタン等によりチェックさせることで選択させたり、ドロップダウンボタンを設けて選択させてもよいほか、サムネイル等の画像により選択させてもよく、各種の設計変更が可能である。
【００６０】
図１０に示される物品選択の画面にはまた、選択された物品の見積りを要求するための「見積」ボタンが設けられており、当該「見積」ボタンが押下されると、選択に係る物品情報に基づく見積処理が実行されるが、この見積処理については後述する。
【００６１】
顧客が、顧客端末３により、物品情報を選択して「登録」ボタンを押下することより、物品情報の選択を行うと、選択された物品の物品ＩＤと、当該選択に係るイベントのイベントＩＤと共に、当該物品が選択された旨が顧客端末３から送信され、ブライダル情報処理装置１は通信処理部２４によりこれを受信する（Ｓ１０６）。この際、物品の数量等についても併せて受信する。
【００６２】
これに応じて、選択情報受付部１８は、受信したイベントＩＤに基づき、受信した物品ＩＤを、当該物品の種別ＩＤと関連付けてイベント情報記憶部に記憶する（Ｓ１０７）。なお、この際、物品ＩＤの詳細な情報は、物品情報記憶部１４を参照して抽出し、イベント情報記憶部１５に併せて記憶させるものとしてもよい。
【００６３】
次に、顧客の選択に係る物品の見積要求に対する処理の流れについて図１２を参照して説明する。
まず、例えば、Ｓ１０５の処理において、物品情報を選択可能な形態で送信された後、顧客が物品を指定して、当該指定された物品に基づく見積要求を送信すると、ブライダル情報処理部１は通信処理部２４により、当該顧客の指定に係る物品の物品ＩＤと共に見積要求を受信する（Ｓ２０１）。
【００６４】
これに応じて、見積算出部２３は、受信した物品ＩＤに基づき、物品情報記憶部１４を参照して、当該物品ＩＤごとの価格情報を全て抽出すると共に、数量を乗じて各物品情報ごとの見積額を算出し、また、これらを合算することにより見積情報を作成する（Ｓ２０２）。
【００６５】
算出された見積情報は、通信処理部２４により、上記顧客の指定に係る物品情報と共に、顧客端末３に対して送信される（Ｓ２０３）。
このとき、顧客端末３上に展開される見積情報の提示画面の一例を図１３に示す。
見積情報の提示画面には、各種別情報ごとに、指定された物品情報が表示されると共に、当該各物品情報ごとの単価、数量から算出される合計金額が表示されている。また、各種別情報には、「選択編集」ボタンが設定されており、当該「選択編集」ボタンを押下することで、見積りの指定に係る物品を変更することができると共に、当該変更後の見積要求をブライダル情報処理装置１に対して送信することが出来るようになっている。また、この画面には、「登録」ボタンが設けられており、これが押下されると、見積りにおいて指定した物品情報の物品ＩＤと、当該選択に係るイベントのイベントＩＤと共に、当該物品が選択された旨が顧客端末３から送信され、ブライダル情報処理装置１は通信処理部２４によりこれを受信する。そして、Ｓ１０６、Ｓ１０７の処理に従って、当該物品情報がイベント情報記憶部１５に記憶される。
なお、この画面には、「戻る」ボタンが設けられており、これを押下されると、再度顧客による物品情報の選択が受け付け可能となって、新たな見積りを行うことができ、繰り返し見積りのシミュレーションを行うことができる。また、見積りのシミュレーション用にシミュレーションの実行を要求するボタン等を予め設けておくものとしてもよい。
【００６６】
続いて、運営者端末４に対して物品の発注期限に関する情報を通知する処理の流れについて図１４を参照して説明する。
期限管理部２０は、イベント情報記憶部１５を参照して、発注期限が所定の期間内に至った物品情報であって、未発注の物品情報があるか否かを常時、ないしは所定のタイミングで監視する（Ｓ３０１）。
【００６７】
この処理は、一週間や１０日など、予め所定の期間を設定して記憶しておき、当該期間と、現在日時と、発注期限とに基づき、現在日時が、発注期限から当該所定の期間だけ前の日時に至ったかどうかを未発注の物品情報について常時判別する。なお、未発注であるか否かは発注フラグを参照することによって判別可能である。
これにより、発注期限まで所定の期間に迫った物品情報が検知される。
【００６８】
この結果、発注期限が迫った物品情報が検知された場合には、期限管理部２０により、当該物品情報がイベント情報記憶部１５から抽出される（Ｓ３０２）。
【００６９】
そして、当該抽出された物品情報、当該物品情報と関連付けられたイベントＩＤ、イベント情報記憶部１５から抽出した発注ステータス、当該物品情報について発注期限が迫った旨からなる期限情報が送信される（Ｓ３０３）。
【００７０】
このとき運営者端末４上に展開される画面の一例を図１５に示す。
この期限情報を通知する画面上には、種別情報ごとに、顧客によって選択された物品情報、当該物品情報に設定されている発注期限、発注の有無が全て表示されており、Ｓ３０２において抽出された物品情報については、発注期限が所定の期間内に迫ったことを示す警告表示（図１５中、破線で表示）が付されている。
【００７１】
ここで、警告表示は、所定の色分け表示や、点滅表示など各種の視覚的効果により構成することができるほか、併せて警告音を発生させるものであってもよい。
また、このような視覚的効果等による警告においては、単に発注がなされたか否かのみの区別に限らず、イベント情報記憶部１５を参照して、確認有無に係るフラグによって発注確認があったか否かについても、それぞれのパターンに応じて異なる警告を表示等させるものであってもよい。また、発注有無と確認有無の警告表示をあわせたアイコン等を別途設け、運営者に対して警告を促すものとしてもよい。
また、本実施形態では、イベント情報記憶部１５から選択されている物品情報を全て抽出した上、所定の期間内に発注期限が迫ったものについて警告表示をするものとしたが、これに限らず、所定の期間内に発注期限が迫った物品情報のみを運営者端末４に送信して、期限情報を通知するものとしてもよい。
これにより、運営者による発注漏れを防ぐことができる。
【００７２】
次に、所定の日時に至ったときに、顧客からの物品の選択要求の受付を禁止する処理の流れについて図１６を参照して説明する。
選択要求制御部１９は、イベント情報記憶部１６を参照して、現在日時が、イベントの実施日まで所定の期間をきったか否かを判別する（Ｓ４０１）。
この処理は、例えば、「実施日の７日前」といったような設定情報を予め所定のテーブル上に記憶しておき、顧客端末３からの物品選択要求において受信したイベントＩＤに基づき、イベント情報記憶部１５に記憶された実施日と現在の日時とから、現在日時が実施日の７日前に至ったか否かを判別するものである。
【００７３】
この結果、あるイベント情報について、現在日時が実施日から所定の期間をきった場合には（上述の例では、７日前に至った場合）、選択要求制御部１９は、通信処理部２４に対し、顧客端末３から送信された物品の選択要求に対してエラーメッセージを返信させる等して、選択要求の受付を禁止する（Ｓ４０２）。
なお、この際、選択要求受付部１８に対して、新たな選択に係る物品の登録を禁止させるように制御してもよい。
【００７４】
次に、運営者端末４から物品の発注要求を受け付けると共に、業者端末５に対して物品の発注を要求するまでの処理について図１７を参照して説明する。
まず、通信処理部２４により、運営者端末４から、発注が決定した物品の物品ＩＤと、発注を要求するイベントＩＤとを含む発注要求情報を、発注要求と共に受信する（Ｓ５０１）。発注要求情報には、他に物品の発注を要求する数量等が含まれる。
この処理に際しては、イベント情報記憶部１５を参照して抽出された顧客の選択に係る物品情報を確認可能なＷｅｂ画面等から、運営者が運営者端末４を介して、物品情報の指定と共に発注を要求可能にすることができる。また、例えば、Ｓ３０３の処理において期限情報を通知した図１５に示される画面上から、各物品情報ごとに、ブライダル情報処理装置１に対して発注要求が可能なボタンを設けることで、当該画面から発注要求を可能にしてもよい。
【００７５】
発注要求受付部２２は、イベント情報記憶部１５において、受信した物品ＩＤと関連付けられた発注フラグを立てると共に、当該発注に対して発注ＩＤを発行する（Ｓ５０２）。
【００７６】
また、発注要求受付部２２は、物品情報記憶部１４を参照して、発注要求のあった物品の物品ＩＤに基づき、当該物品を提供する業者の業者ＩＤを特定し、さらに業者情報記憶部１３を参照して業者に関する情報を得る。そして、通信処理部２４をして、当該特定された業者の業者端末５に対し、Ｓ５０２において発行した発注ＩＤと、運営者端末４から受信した発注要求の内容に基づく発注要求を送信する（Ｓ５０３）。このとき送信される発注要求には、発注に係る物品情報、発注数量、及び発注額等が含まれる。
業者端末４への発注要求が完了すると、発注要求受付部２２は、発注内容を発注ＩＤと共に発注情報記憶部１６に記憶する（Ｓ５０４）。
【００７７】
ブライダル情報処理装置１から送信された発注を、通信処理部５２により受信した業者は、発注を受け付けた旨を示す発注の確認を、発注ＩＤと共にブライダル情報処理装置１に対して送信し、ブライダル情報処理装置１はこれを受信する（Ｓ５０５）。なお、この際、発注ＩＤに加えて、物品ＩＤを共に受信し、物品ごとの発注確認を行うことができるようにしてもよい。
【００７８】
これに応じて発注要求受付部２２は、業者端末５から受信した発注ＩＤに基づき、イベント情報記憶部１５を参照して、当該発注ＩＤと関連付けられている確認有無について、フラグを立てる（Ｓ５０６）。
【００７９】
また、当該発注を要求した運営者端末４に対して、当該業者端末５から受信した発注確認に対応する発注確認を送信して処理を終了する（Ｓ５０７）
【実施例２】
【００８０】
次に、本発明の第二の実施形態に係るブライダル情報処理装置について図を参照して説明する。
本実施形態では、物品情報ごとに、イベント実施日に基づく発注期限が自動的に設定される。
本実施形態に係るブライダル情報処理装置１は、CPU、CPUが実行するコンピュータプログラム、コンピュータプログラムや所定のデータを記憶するRAM及びハードディスクドライブなどの外部記憶装置により、第一の実施形態に係るブライダル情報処理装置１と同様の構成からなる顧客情報記憶部１１、運営者情報記憶部１２、業者情報記憶部１３、イベント情報記憶部１５、発注情報記憶部１６、物品情報抽出部１７、選択情報受付部１８、選択要求制御部１９、期限管理部２０、期限情報抽出部２１、発注要求受付部２２、見積算出部２３、通信処理部２４を備えるほか、期限設定部２５を備える。また、物品情報記憶部１４には、第一の実施形態で記憶したデータのほかに期限算出基準なるデータを記憶している。
また、本実施形態に係るブライダル情報処理装置１が、顧客端末３、運営者端末４、及び業者端末５とネットワークを介して通信可能に構成される点は第一の実施形態と同様である。
【００８１】
本実施形態に係る物品情報記憶部１４は、例えば、図１９に示されるように、物品の属性に応じた分類を示す種別情報、当該種別情報に従って分類された物品に関する物品情報、当該物品ごとに設定された価格情報、当該物品を提供する業者の業者IDに加え、各物品情報ごとの期限算出基準が相互に関連付けて記憶されている。
ここで、期限算出基準とは、各物品情報ごとの発注期限を算出するための基準データであり、例えば３０日、５０日など、所定の期間を示す情報である。このデータは、期限設定部２５により、イベント情報記憶部１５に記憶されているイベントの実施日から発注期限を算出する際に利用され、予め各物品情報ごとに設定記憶されている。
【００８２】
期限設定部２５は、選択情報受付部１８によって顧客端末３から受け付け、イベント情報記憶部１５に記憶した物品情報について、発注期限を設定する。
この処理は、まず、ある物品情報がイベント情報記憶部１５に記憶された場合に、当該物品情報の物品ＩＤに基づき、物品情報記憶部１４を参照して、当該物品ＩＤと関連付けられている期限算出基準を抽出する。そして、対象となる物品情報と関連付けられたイベントの実施日から、当該抽出した期限算出基準である期間を逆算する。これにより得られた期日が発注期限となる。
【００８３】
続いて、本実施形態に係る発注期限の設定処理の流れについて図２０を参照して説明する。
まず、イベント情報記憶部１５にある物品情報が記憶されると、期限設定部２５は、当該物品情報の物品ＩＤに基づき、物品情報記憶部１４を参照して、当該物品ＩＤと関連付けられている期限算出基準を抽出する（Ｓ６０１）。
【００８４】
そして、期限算出基準と、イベント情報記憶部１５に記憶されているイベントの実施日とに基づき、当該物品情報の発注期限を算出する。
この処理は、対象となる物品情報と関連付けられたイベントの実施日から、抽出した期限算出基準である期間を逆算するものである。
【００８５】
そして、期限設定部２５は、イベント情報記憶部２５において、算出された発注期限を、当該物品情報に関連付けて記憶し、処理を終了する（Ｓ６０３）。
【実施例３】
【００８６】
続いて、本発明の第三の実施形態に係るブライダル情報処理装置について図を参照して説明する。
本実施形態は、顧客の両親等、顧客と所定の関係等にある閲覧者が、顧客が選択した物品情報や当該物品情報に基づく見積情報を閲覧することを可能としたものである。
本実施形態に係るブライダル情報処理装置１は、第一の実施形態に係るブライダル情報処理装置１と同様の構成を備える一方、顧客端末３、運営者端末４、及び業者端末５に加え、閲覧者端末６とインターネット等のネットワークを介して通信可能に構成されている。
【００８７】
また、本実施形態に係るブライダル情報処理装置１においては、物品情報抽出部１７、見積算出処理部２３はさらに、下記処理を実行することが出来る。
即ち、物品情報抽出部１７は、顧客端末３からの物品の選択要求に応じて、選択可能な物品情報を抽出する処理を実行するほか、閲覧者端末６からの物品の閲覧要求に応じて、顧客の選択に係る物品情報をイベント情報記憶部１５から抽出する処理を実行する。
また、見積算出処理部２３は、顧客端末３から、顧客が選択した物品に基づく見積要求に応じて見積りを算出し、これを顧客に提示する処理を実行するほか、閲覧者端末６からの見積情報の閲覧要求に応じて見積りを算出する処理を実行する。
【００８８】
閲覧者端末６は、閲覧者が利用する端末であり、いわゆるパーソナルコンピュータ、携帯電話、ＰＤＡ等により構成され、入出力処理部６１、通信処理部６２の各機能ブロックを備える。
なお、閲覧者とは、顧客の両親等、顧客と所定の関係等を有するなどして、顧客から、当該顧客が選択した物品情報の閲覧を許可された者である。
【００８９】
入出力処理部６１は、キーボードやタッチパネル、ディスプレイ等により構成され、閲覧者からのデータの入力を受け付けたり、当該受け付けたデータやネットワークを介してブライダル情報処理装置１から受信したデータ等を出力する処理を実行する。
【００９０】
通信処理部６２は、少なくともブライダル情報処理装置１とインターネット等の通信回線を介し、所定の通信回線を介し、所定のプロトコルに従ってデータの送受信処理を実行する処理部であって、Webブラウザ等により実行される。
この通信処理部６２は、例えば、ブライダル情報処理装置１に対して、物品情報の閲覧要求を送信したり、ブライダル情報処理装置１から物品情報を閲覧可能に受信したりする。
【００９１】
続いて、閲覧者端末６からの物品情報の閲覧要求処理について図２２を参照して説明する。
まず、ブライダル情報処理装置１は、閲覧者端末６から、イベントＩＤと共に、当該イベントにおいて選択されている物品の閲覧要求を受信すると（Ｓ７０１）、物品情報抽出部１７により、イベント情報記憶部１５を参照して、当該受信したイベントＩＤと関連付けられている物品情報を抽出する（Ｓ７０２）。
【００９２】
そして、通信処理部２４により、当該抽出された物品情報が閲覧可能な形態で、閲覧者端末６に対して送信される（Ｓ７０３）。
このとき、閲覧者端末６上において、展開される画面の一例を図２３に示す。
図２３に示されるように、物品の閲覧画面上には、イベントＩＤと関連付けて記憶されていた情報のうち、種別、物品、数量が表示されるが、物品を選択する機能等は設けられていない。
【００９３】
さらに、閲覧者端末６からの見積情報の閲覧要求処理について図２４を参照して説明する。
まず、ブライダル情報処理装置１は、閲覧者端末６から、イベントＩＤと共に、当該イベントにおいて顧客が選択している物品に基づく見積情報の閲覧要求を受信する（Ｓ８０１）。
【００９４】
これに対して、見積算出部２３は、イベント情報記憶部１５を参照して、受信したイベントＩＤと関連付けられている物品情報を特定すると共に、物品情報記憶部１４から当該物品情報ごとの価格情報を全て抽出する。また併せて、抽出した価格情報を全て合算して見積情報を作成する（Ｓ８０２）。
【００９５】
見積算出処理部２３により作成された見積情報は、通信処理部２４により、イベントＩＤと共に関連付けて記憶されていた物品情報と共に、閲覧可能な形態で閲覧者端末６に対して送信される（Ｓ８０３）。
このとき、閲覧者端末６上において、展開される画面の一例を図２５に示す。
図２５に示されるように、見積情報の閲覧画面上には、イベントＩＤと関連付けて記憶されていた全ての物品情報について、種別、物品、単価、数量、単価と数量に基づく合計金額が表示される。なお、物品の閲覧と同様に、本画面からは閲覧のみが可能であり、物品を変更する等の機能は設けられていない。
以上の処理により、顧客の両親等である閲覧者が、顧客の選択を確認でき、これにより顧客と閲覧者とがイベント内容を相談しあったりすることが出来る。
なお、閲覧者からの閲覧要求に際しては、閲覧者を認証するためのＩＤやパスワードを別途設定しておくものとすることもできる。
【００９６】
なお、上記実施形態においては、業者端末５に対して物品の発注要求を送信した後、業者端末５から受注確認を受け付けた上、当該受け付けた受注確認を運営者端末４に送信するものとしてもよい。これにより、運営者に対して、発注が確実に行われたことを通知することが出来る。
【００９７】
また、上記実施形態においては、発注要求受付部２４により発注を受け付けた後、業者端末５に対して物品の発注を行うものとしたが、これに限らず、物品毎に予め設定されたテーブルに従い、所定の物品については、運営者端末４から発注要求を待たずに業者端末５に対して自動発注を行うようにしてもよい。自動発注に関しては例えば、物品情報の登録と共に業者端末５に対して発注要求を自動送信したり、発注期限になったときに自動的に発注したり、発注を受ける業者が運営者自身である場合にのみ発注要求を自動送信したりしてもよい。
【００９８】
また、上記実施形態において、ブライダル情報処理装置１、顧客端末３、運営者端末４、及び業者端末５の間における物品の発注要求等の情報の送受については、所定のメーラーのほか、Ｗｅｂページによることもでき、各種既知の技術が適用可能である。
【００９９】
また、複数の顧客端末３ないしは閲覧者端末４から権限情報と共にアクセスを受け付け、予め記憶しておいた権限管理テーブルに基づいて権限を認証すると共に、所定の情報の閲覧や情報の入力など、当該アクセスした者が権限管理テーブルにおいて権限が付与されている事項に応じた処理を実行するようにしてもよい。
【０１００】
また、本発明は結婚式に限らず、一般葬祭や宴会等にも適用することができる。
【符号の説明】
【０１０１】
１      ブライダル情報処理装置
３      顧客端末
４      運営者端末
５      業者端末
６      閲覧者端末
１１    顧客情報記憶部
１２    運営者情報記憶部
１３    業者情報記憶部
１４    物品情報記憶部
１５    イベント情報記憶部
１６    発注情報記憶部
１７    物品情報抽出部
１８    選択情報受付部
１９    選択要求制御部
２０    期限管理部
２１    期限情報抽出部
２２    発注要求受付部
２３    見積算出部
２４    通信処理部
３１    入出力処理部
３２    通信処理部
４１    入出力処理部
４２    通信処理部
５１    入出力処理部
５２    通信処理部
６１    入出力処理部
６２    通信処理部
ＮＷ    ネットワーク
【図１】
2010191924.tif 000003
【図２】
2010191924.tif 000004
【図３】
2010191924.tif 000005
【図４】
2010191924.tif 000006
【図５】
2010191924.tif 000007
【図６】
2010191924.tif 000008
【図７】
2010191924.tif 000009
【図８】
2010191924.tif 000010
【図９】
2010191924.tif 000011
【図１０】
2010191924.tif 000012
【図１１】
2010191924.tif 000013
【図１２】
2010191924.tif 000014
【図１３】
2010191924.tif 000015
【図１４】
2010191924.tif 000016
【図１５】
2010191924.tif 000017
【図１６】
2010191924.tif 000018
【図１７】
2010191924.tif 000019
【図１８】
2010191924.tif 000020
【図１９】
2010191924.tif 000021
【図２０】
2010191924.tif 000022
【図２１】
2010191924.tif 000023
【図２２】
2010191924.tif 000024
【図２３】
2010191924.tif 000025
【図２４】
2010191924.tif 000026
【図２５】
2010191924.tif 000027